(57)【要約】【課題】弦楽器の構造を複雑にすることなく、表板と側板との接合強度を高め、ノイズが入らない弦楽器本来の音色の音響性能が得られるようにすること。【解決手段】表板２０と、裏板２２と、表板２０及び裏板２２に接合された側板２４とにより画定された共鳴胴１２を有する弦楽器１０であって、側板２４は互いに重ね合わされた内側側板３２及び外側側板３４を含み、内側側板３２は表板２０との接合縁部に所定の間隔をおいて形成された複数の切欠部３８を含み、切欠部３８を画定する内側側板３２の端面３２Ａ〜３２Ｃと切欠部３８に対向する外側側板３４の内面部分３４Ａと内側側板３２に隣接する表板２０の内面部分２０Ｂとに接着された当木４０を有する。【選択図】図４
2020190627.tif 000002
【特許請求の範囲】
【請求項１】
表板と、裏板と、前記表板及び前記裏板に接合された側板とにより画定された共鳴胴を有する弦楽器であって、
前記側板は互いに重ね合わされた内側側板及び外側側板を含み、
前記内側側板は前記表板との接合縁部に所定の間隔をおいて形成された複数の切欠部を含み、
前記切欠部を画定する前記内側側板の端面と、前記切欠部に対向する前記外側側板の内面部分と、前記内側側板に隣接する前記表板の内面部分とに接着された当木を有する弦楽器。
【請求項２】
前記当木が前記切欠部のそれぞれに対応する駒状の部材をなす請求項１に記載の弦楽器。
【請求項３】
前記切欠部が矩形をなし、前記当木が前記切欠部の３辺を画定する前記内側側板の３個の端面の各々に接着される部分を含んでいる請求項１又は２に記載の弦楽器。
【請求項４】
表板と、裏板と、前記表板及び前記裏板に接合された側板とにより画定された共鳴胴を有する弦楽器であって、
前記側板は互いに重ね合わされた内側側板及び外側側板を含み、
前記内側側板は前記表板に所定の間隔をおいて位置することにより前記表板との間に間隙部を画定する離間縁部を有し、
前記離間縁部を画定する前記内側側板の端面と、前記間隙部に面する前記外側側板の内面部分と、前記端面に対向する前記表板の内面部分とに接着された当木を有する弦楽器。
【請求項５】
前記当木が前記側板と前記表板との間の隅部に沿って延在する帯状の部材をなす請求項４に記載の弦楽器。
【発明の詳細な説明】
【技術分野】
【０００１】
本発明は、弦楽器に関し、更に詳細には、アコースティックギターのように共鳴胴を有する弦楽器に関する。
【背景技術】
【０００２】
アコースティックギター等の弦楽器は、表板と、裏板と、前記表板及び前記裏板に接合された側板とにより画定された共鳴胴を有する。このような弦楽器では、表板と側板との隅肉の接合部に、側板及び表板の双方に接着剤によって接着される接合補強部材（当木）を用いて表板と側板との接合強度を高めることが行われている（例えば、特許文献１、２）。
【先行技術文献】
【特許文献】
【０００３】
【特許文献１】特開平６−３５４４８号公報
【特許文献２】特開平９−２３０８５３号公報
【発明の概要】
【発明が解決しようとする課題】
【０００４】
従来から知られている弦楽器では、長い年月を経た時に接着剤の変質、経年変化による剥がれなどが懸念される。表板と側板との接着部は表板の振動の支点となるため、剥がれが起こると、音のひずみや振動エネルギのロス等により音響性能の低下の原因になる。
【０００５】
また、弦楽器は、弦が張られる側にある表板は振動板として作用するので、表板と側板との接合強度が高い程、表板が不安定要素を含むことなく振動し、きれいな音色の音響性能が得られる。
【０００６】
本発明が解決しようとする課題は、弦楽器の構造を複雑にすることなく、表板と側板との接合強度を高め、経年変化による剥がれが生じ難く、ノイズが入らない弦楽器本来の音色の音響性能が得られるようにすることである。
【課題を解決するための手段】
【０００７】
本発明の一つの実施形態による弦楽器は、表板（２０）と、裏板（２２）と、前記表板（２０）及び前記裏板（２２）に接合された側板（２４）とにより画定された共鳴胴（１２）を有する弦楽器（１０）であって、前記側板（２４）は互いに重ね合わされた内側側板（３２）及び外側側板（３４）を含み、前記内側側板（３２）は前記表板（２０）との接合縁部に所定の間隔をおいて形成された複数の切欠部（３８）を含み、前記切欠部（３８）を画定する前記内側側板（３２）の端面（３２Ｂ〜３２Ｄ）と、前記切欠部（３８）に対向する前記外側側板（３４）の内面部分（３４Ｂ）と、前記内側側板（３２）に隣接する前記表板（２０）の内面部分（２０Ｂ）とに接着された当木（４０）を有する。
【０００８】
この構成によれば、構造を複雑にすることなく、表板（２０）と側板（２４）との接合強度が高くなり、経年変化による接着部の剥がれが生じ難く、ノイズが入らない弦楽器本来の音色の音響性能が得られる。
【０００９】
この実施形態による弦楽器では、前記当木（４０）は前記切欠部（３８）のそれぞれに対応する駒状の部材であってよい。
【００１０】
上記実施形態による弦楽器（１０）においては、好ましくは、前記切欠部（３８）が矩形をなし、前記当木（４０）が前記切欠部（３８）の３辺を画定する前記内側側板（３２）の３個の端面（３２Ａ、３２Ｂ、３２Ｃ）の各々に接着される部分を含んでいる。
【００１１】
この構成によれば、表板（２０）と側板（２４）との接合強度が的確に高くなり、きれいな音色の音響性能が得られる
【００１２】
本発明の一つの実施形態による弦楽器は、表板（２０）と、裏板（２２）と、前記表板（２０）及び前記裏板（２２）に接合された側板（２４）とにより画定された共鳴胴（１２）を有する弦楽器（１０）であって、前記側板（２４）は互いに重ね合わされた内側側板（３２）及び外側側板（３４）を含み、前記内側側板（３２）は前記表板（２０）に所定の間隔をおいて位置することにより前記表板（２０）との間に間隙部（４２）を画定する離間縁部（３２Ｅ）を有し、前記離間縁部（３２Ｅ）を画定する前記内側側板（３２）の端面（３２Ｆ）と、前記間隙部（４２）に面する前記外側側板（３４）の内面部分（３４Ｃ）と、前記端面（３２Ｆ）に対向する前記表板（２０）の内面部分（２０Ｃ）とに接着された当木（４４）を有する。
【００１３】
この構成によれば、構造を複雑にすることなく、表板（２０）と側板（２４）との接合強度が高くなり、経年変化による接着部の剥がれが生じ難く、ノイズが入らない弦楽器本来の音色の音響性能が得られる。
【００１４】
この実施形態による弦楽器では、前記当木（４４）が前記側板（２４）と前記表板（２０）との間の隅部に沿って延在する帯状の部材であってよい。
【発明の効果】
【００１５】
本発明による弦楽器によれば、構造を複雑にすることなく、表板と側板との接合強度が高くなり、経年変化による接着部の剥がれが生じ難く、ノイズが入らない弦楽器本来の音色の音響性能が得られる。
【図面の簡単な説明】
【００１６】
【図１】本発明によるアコースティックギター（弦楽器）の一つの実施形態を示す斜視図
【図２】本実施形態によるアコースティックギターの裏板が取り外された状態の背面図
【図３】本実施形態によるアコースティックギターの要部の斜視図
【図４】本実施形態によるアコースティックギターの要部の拡大断面図
【図５】本実施形態によるアコースティックギターに用いられる当木の斜視図
【図６】（Ａ）は他の実施形態によるアコースティックギターの要部の当木接着状態の斜視図、（Ｂ）は同要部の当木接着前の斜視図
【図７】他の実施形態によるアコースティックギターの要部の拡大断面図
【発明を実施するための形態】
【００１７】
以下に、本発明による弦楽器をアコースティックギターに適用した実施形態を、図１〜図５を参照して説明する。
【００１８】
図１に示されているように、アコースティックギター１０は、空洞構造の木材製の共鳴胴１２と、共鳴胴１２から延出してネック部１４及びヘッド部１６を構成する棹１８とを有する。共鳴胴１２は、表板２０と、裏板２２と、表板２０及び裏板２２に接合された側板（横板）２４とにより画定されている。
【００１９】
表板２０の表面（外面）にはブリッジ部材２６が貼着されている。ヘッド部１６には複数の糸巻き２８が取り付けられている。ブリッジ部材２６と各糸巻き２８との間には弦３０が張られている。
【００２０】
側板２４は、図２〜図４に示されているように、互いに重ね合わされ且つ接着剤によって互いに貼り合わせられた内側側板３２及び外側側板３４を含む２重構造になっている。内側側板３２と外側側板３４とは同一材質の木材或いは互いに異なる材質の木材により構成されていてよい。この側板２４と表板２０との接合は、内側側板３２及び外側側板３４の各々の外縁に沿って延在する端面３２Ａ及び３４Ａと当該端面３２Ａ及び３４Ａに対向する表板２０の外縁近傍の内面部分２０Ａとを接着剤により接着することにより行われている。
【００２１】
内側側板３２は、表板２０との接合縁部に、当該接合縁部の延在方向に沿って所定の間隔をおいて形成された複数の切欠部３８を含む。切欠部３８は表板２０との接合縁部に向けて開放された正面視で矩形をなしている。これに従い、内側側板３２は、切欠部３８の互いに平行に２辺を画定する内側側板３２の端面３２Ｂ及び３２Ｃと、切欠部３８の奧側の１辺を画定する内側側板３２の端面３２Ｄとを含む。
【００２２】
表板２０と側板２４との隅肉の接合縁部には切欠部３８毎に当木４０が設けられている。各当木４０は、ペオネスと呼ばれる木材製でものであり、図５に示されているように、第１外面４０Ａ、第２外面４０Ｂ、第３外面４０Ｃ、第４外面４０Ｄ、第５外面４０Ｅ及び第６外面４０Ｆを有し、側面視で略直角三角形で、切欠部３８のそれぞれに対応する駒状の部材をなす。
【００２３】
第１外面４０Ａは切欠部３８に対応する部位の外側側板３４の内面部分３４Ｂに全面に亘って接着剤によって接着されている。
【００２４】
第２外面４０Ｂは、第１外面４０Ａに対して直交する方向に延在し、切欠部３８に対応する部位において内側側板３２に隣接する表板２０の内面部分２０Ｂに全面に亘って接着剤によって接着される。
【００２５】
第３外面４０Ｃ及び第４外面４０Ｄは、当木４０の側面をなす面であり、第１外面４０Ａ及び第２外面４０Ｂの双方に直交する方向に且つ互いに平行に延在し、内側側板３２の端面３２Ｂ及び３２Ｃに対向する部分をこれらの端面３２Ｂ及び３２Ｃに接着剤によって接着されている。
【００２６】
第５外面４０Ｅは、第２外面４０Ｂの反対側にあって第２外面４０Ｂと平行に延在し、内側側板３２の端面３２Ｄに対向する部分を当該端面３２Ｄに接着剤によって接着されている。
【００２７】
第６外面４０Ｆは、非接着面であって、第２外面４０Ｂと第５外面４０Ｅとを互いに接続すべく延在する外側に向けて凹の円弧面である。
【００２８】
各当木４０は、上述の如く、第１外面４０Ａの全面を外側側板３４の内面部分３４Ｂに接着され、第２外面４０Ｂの全面を表板２０の内面部分２０Ｂに接着されているから、当木４０が用いられない場合に比して表板２０と側板２４との接合強度が向上する。
【００２９】
各当木４０は、更に、第３外面４０Ｃ及び第４外面４０Ｄが内側側板３２の端面３２Ｂ及び３２Ｃに接着され、第５外面４０Ｅが内側側板３２の端面３２Ｄに接着されていることにより、各当木４０と側板２４との接着面積が増大し、当木４０を大型化したり、別の部品等を用いたりすることなく、表板２０と側板２４との接合強度が、更に向上する。
【００３０】
これにより、経年変化による表板２０と側板２４との接着部の剥がれが生じ難くなると共に、表板２０の支持剛性が改善され、長期間に亘ってノイズが入らない弦楽器本来の音色の音響性能が得られる。換言すると、表板２０の振動の支点が長期間に亘ってより安定することにより、音のひずみ、振動エネルギのロスが少なくなり、長期間に亘ってノイズが入らない弦楽器本来の音色の音響性能が得られる。
【００３１】
各当木４０は切欠部３８毎に設けられるから、特に各当木４０が切欠部３８に嵌合することにより、多数の当木４０の位置決めが確実に行われる。これにより、表板２０と側板２４との接合強度にばらつきが生じ難く、表板２０の振動に関する不安定要素が減少し、このことによってもノイズが入らない弦楽器本来の音色の音響性能が得られる。
【００３２】
次にアコースティックギターの他の実施形態を、図６及び図７を参照して説明する。なお、図６及び図７において、図１〜図５に対応する部分は、図１〜図５に付した符号と同一の符号を付けて、その説明を省略する。
【００３３】
本実施形態では、内側側板３２は表板２０の内面に対して共鳴胴１２の表裏方向（図６及び図７において上下方向）に所定の間隔をおいて位置することにより表板２０の内面との間に間隙部４２（図４Ｂ参照）を画定する離間縁部３２Ｅを有する。換言すると、内側側板３２は間隙部４２を画定すべく全長に亘って表板２０から離間した端面３２Ｆを有し、外側側板３４より共鳴胴１２の表裏方向に沿った幅寸が小さい。
【００３４】
間隙部４２には当木４４が設けられている。当木４４は、木材製でものであり、第１外面４４Ａ、第２外面４４Ｂ、第３外面４４Ｃ及び第４外面４０Ｄを有し、側面視で略矩形で、側板２４と表板２０との間の隅部に沿って延在する帯状の部材をなす。
【００３５】
第１外面４４Ａは間隙部４２に対応する部位の外側側板３４の内面部分３４Ｃに全面に亘って接着剤によって接着されている。
【００３６】
第２外面４４Ｂは、第１外面４４Ａに対して直交する方向に延在し、間隙部４２に対応する部位において内側側板３２に隣接する表板２０の内面部分２０Ｃに全面に亘って接着剤によって接着される。
【００３７】
第３外面４４Ｃは、第２外面４４Ｂの反対側にあって第２外面４４Ｂと平行に延在し、内側側板３２の端面３２Ｆに対向する部分を当該端面３２Ｆに接着剤によって接着されている。
【００３８】
第４外面４４Ｄは、非接着面であって、第２外面４４Ｂと第３外面４０Ｃとを互いに接続すべく延在する面である。
【００３９】
当木４４には第４外面４４Ｄから第１外面４４Ａに向けてスリット状の切欠部４４Ｅが、当木４４の帯状の長手方向に所定の間隔をおいて複数形成されている。当木４４は、切欠部４４Ｅが設けられていることにより、曲げ変形し易くなり、その全体が外側側板３４の内面部分３４Ｃの曲面に倣って変形する。これにより、外側側板３４の内面部分３４Ｃが曲面であっても、第１外面４４Ａが内面部分３４Ｃの全体に亘って良好に貼着される。
【００４０】
当木４４は、第１外面４４Ａの全面を外側側板３４の内面部分３４Ｃに接着され、第２外面４４Ｂの全面を表板２０の内面部分２０Ｃに接着されているから、当木４４が用いられない場合に比して表板２０と側板２４との接合強度が向上する。
【００４１】
各当木４４は、更に、第３外面４４Ｃが内側側板３２の端面３２Ｆに接着されていることにより、当木４４と側板２４との接着面積が増大し、当木４４を大型化したり、別の部品等を用いたりすることなく、表板２０と側板２４との接合強度が、更に向上する。
【００４２】
これにより、経年変化による表板２０と側板２４との接着部の剥がれが生じ難くなると共に、表板２０の支持剛性が改善され、長期間に亘ってノイズが入らない弦楽器本来の音色の音響性能が得られる。換言すると、表板２０の振動の支点が長期間に亘ってより安定することにより、音のひずみ、振動エネルギのロスが少なくなり、長期間に亘ってノイズが入らない弦楽器本来の音色の音響性能が得られる。
【００４３】
切欠部４４Ｅの深さは、第１外面４４Ａの側に内側側板３２の板厚或いは板厚以上の寸法を残すように形成されていることが好ましい。これにより、当木４４の第３外面４４Ｃと内側側板３２の端面３２Ｆとの接着面積が切欠部４４Ｅにより減少することが回避され、当木４０と側板２４との接着面積が効果的に増大する。
【００４４】
以上、本発明を、その好適な実施形態について説明したが、当業者であれば容易に理解できるように、本発明はこのような実施形態により限定されるものではなく、本発明の趣旨を逸脱しない範囲で適宜変更可能である。本発明は、アコースティックギターに限られることなく、ヴァイオリン、ビオラ等、共鳴胴を有する弦楽器に適用できる。また、上記実施形態に示した構成要素は必ずしも全てが必須なものではなく、本発明の趣旨を逸脱しない限りにおいて適宜取捨選択することが可能である。
【符号の説明】
【００４５】
１０    ：アコースティックギター
１２    ：共鳴胴
１４    ：ネック部
１６    ：ヘッド部
１８    ：棹
２０    ：表板
２０Ａ  ：内面部分
２０Ｂ  ：内面部分
２０Ｃ  ：内面部分
２２    ：裏板
２４    ：側板
２６    ：ブリッジ部材
２８    ：糸巻き
３０    ：弦
３２    ：内側側板
３２Ａ  ：端面
３２Ｂ  ：端面
３２Ｃ  ：端面
３２Ｄ  ：端面
３４    ：外側側板
３４Ａ  ：端面
３４Ｂ  ：内面部分
３４Ｃ  ：内面部分
３８    ：切欠部
４０    ：当木
４０Ａ  ：第１外面
４０Ｂ  ：第２外面
４０Ｃ  ：第３外面
４０Ｄ  ：第４外面
４０Ｅ  ：第５外面
４０Ｆ  ：第６外面
４２    ：間隙部
４４    ：当木
４４Ａ  ：第１外面
４４Ｂ  ：第２外面
４４Ｃ  ：第３外面
４４Ｄ  ：第４外面
４４Ｅ  ：切欠部
【図１】
2020190627.tif 000003
【図２】
2020190627.tif 000004
【図３】
2020190627.tif 000005
【図４】
2020190627.tif 000006
【図５】
2020190627.tif 000007
【図６】
2020190627.tif 000008
【図７】
2020190627.tif 000009